(57)【特許請求の範囲】
【請求項１】
内部に非常釦用表示灯と非常用スイッチが並設されたベース部に、一部に非常用押釦嵌入用の凹所が形成されたカバー部を一体的に取付けて構成された電子機器において、前記カバー部の凹所の底壁には、前記非常釦用表示灯と非常用スイッチとを突出する孔部が形成され、前記凹所の底壁と前記非常用押釦の上壁内面との間には、底壁側から押釦上側に向けて次第に拡径し、非常用押釦を外向きに付勢する逆円錐台形状であって、且つ、内面が光反射面とされた板状コイルバネで構成されたバネ体が配設され、このバネ体の底壁側に前記非常用スイッチの作動部を配置して、前記非常用押釦で押し操作されるように構成され、前記凹所の周壁に形成された係止用孔部に係入され、この係止用孔部に係止されて非常用押釦を抜け止めする係止突爪部が、前記非常用押釦の周側壁の一部に形成されていることを特徴とする電子機器における非常用押釦の取付構造。
【請求項２】
前記凹所の底壁が、前記非常用押釦の底縁が当接して押釦の押し過ぎを規制するためのストッパーを兼ねていることを特徴とする請求項１に記載の電子機器における非常用押釦の取付構造。
【発明の詳細な説明】
【０００１】
【産業上の利用分野】
【０００２】
本発明は、セキュリティーハンズフリーインターホンや携帯通信機器などの電子機器における非常用押釦の取付構造に関する。
【従来の技術】
【０００３】
従来の電子機器における非常用押釦の取付構造は、図７に示すように、ベース部ａに非常釦用表示灯ｂと非常用スイッチｃとが並設され、このベース部ａに一体的に取付けられるカバー部ｄに、係止鍔部ｅを有する非常用押釦ｆを内側（ベース側）から嵌入配設するための孔部ｇが形成され、この孔部ｇに配設された非常用押釦ｆの上壁内面とベース部ａの内面との間にバネ体ｈを配設した構成となっている。
【０００４】
そして、このバネ体ｈによって非常用押釦ｆを外向きに付勢させ、係止鍔部ｅがカバー部ｄの内面に当接することによって、非常用押釦ｆを電子機器における所定位置に押し操作可能に配設した構成となっている。
【発明が解決しようとする課題】
【０００５】
ところが、この従来の取付構造においてはバネ体ｈを非常用押釦ｆ側に配設した状態で、組み付けを行わなくてはならないために、バネ体ｈの位置が決め難くて組み付け作業が行い難く、しかも非常用押釦ｆは、カバー部ｄの裏面側から配設しなくてはならないために、その組み付け作業が行い難いという問題があった。
【０００６】
また、バネ体ｈの外径が上下同じ径であるために、バネ体ｈを配設するためのスペースを大きく取らなくてはならないので、非常用スイッチｃを非常用押釦ｆの近傍箇所に配設することができず、この配設位置が非常釦用表示灯ｂから離れた位置となって、配設スペースが大きくなり、更に、この非常用スイッチｃを作動させるの非常用押釦ｆの係止鍔部ｅにおける非常用スイッチｅ側の径を大きくしなくてはならないために、大型化してしまうといういう問題があった。
【０００７】
本発明は、上記従来の問題に鑑みてなされたものであって、非常用押釦をカバー部の表側から組み付けることができるので非常用押釦の組み付けが簡単であり、且つ非常用スイッチを非常用押釦の近傍箇所に配設することができるので小スペース化を図ることができ、全体として小型化することができる電子機器における非常用押釦の取付構造を提供することを目的としている。
【課題を解決するための手段】
【０００８】
本発明は、上記目的を達成するために提案されたものであって、請求項１の電子機器における非常用押釦の取付構造は、内部に非常釦用表示灯と非常用スイッチが並設されたベース部に、一部に非常用押釦嵌入用の凹所が形成されたカバー部を一体的に取付けて構成された電子機器において、前記カバー部の凹所の底壁には、前記非常釦用表示灯と非常用スイッチとを突出する孔部が形成され、前記凹所の底壁と前記非常用押釦の上壁内面との間には、底壁側から押釦上側に向けて次第に拡径し、非常用押釦を外向きに付勢する逆円錐台形状であって、且つ、内面が光反射面とされた板状コイルバネで構成されたバネ体が配設され、このバネ体の底壁側に前記非常用スイッチの作動部を配置して、前記非常用押釦で押し操作されるように構成され、前記凹所の周壁に形成された係止用孔部に係入され、この係止用孔部に係止されて非常用押釦を抜け止めする係止突爪部が、前記非常用押釦の周側壁の一部に形成されているものである。
【０００９】
請求項２の電子機器における非常用押釦の取付構造は、前記凹所の底壁が、非常用押釦の底縁が当接して押釦の押し過ぎを規制するためのストッパーを兼ねているものである。
【作用】
【００１０】
請求項１の電子機器における非常用押釦の取付構造によれば、ベース部に一体的に取付けられたカバー部の凹所における非常用スイッチの突出部周囲に逆円錐台形状のバネ体の端部が位置するようにこのバネ体を配設し、次に、非常用押釦をこの凹所に嵌め入れる。
【００１１】
すると、非常用押釦の係止突爪部が、凹所の周壁に形成された係止用孔部に入り込んで係止されるので、この非常用押釦が抜け止め状態で凹所に嵌め入れられる。この状態で、非常用押釦を外部から押すと、この非常用押釦は、バネ体の付勢力に抗して凹所内に埋入され、非常用スイッチの作動部を押して、この非常用スイッチがオンとなり、非常釦用表示灯が点灯されるとともに、信号処理部を介してアラームを鳴動する。
【００１２】
また、非常用スイッチの作動部が、前記バネ体の近傍箇所に配置されているので、非常釦用表示灯と非常用スイッチの配置間隔が小さくなり、省スペース化が図れる。
【００１３】
更に、バネ体が凹所底壁側から押釦上壁側に向けて次第に拡径し、内面が光反射面とされた板状コイルバネで構成されているため、非常釦用表示灯からの光が、この板状コイルバネの内面の光反射面で反射されるので、非常用押釦は外部より見やすくなる。
【００１４】
請求項２の電子機器における非常用押釦の取付構造によれば、非常用押釦を押したときに、この非常用押釦の底縁がストッパーを兼ねた凹所の底壁に当接するのでそれ以上押し込まれることがない。
【実施例】
【００１５】
以下、本発明に係る電子機器における非常用押釦の取付構造の前提を示す参考例について、図面を参照しつつ説明する。本参考例では、本発明の取付構造をセキュリティーハンズフリーインターホンに適用したものについて説明するが、これに限らず、携帯用通信機器などの他の電子機器にも適用できるものである。
【００１６】
図１、図２及び図４は、本参考例の取付構造の要部を示すものであり、図３は本参考例の取付構造を適用したセキュリティーハンズフリーインターホンＳＩの全体構造を分解して示すものである。先ず、図３に基づいて説明する。このセキュリティーハンズフリーインターホンＳＩには、ベース部１と、このベース部１に係合固定されるカバー部２と、これらベース部１とカバー部２の内部に配設されるプリント基板３とが備えられている。
【００１７】
前記プリント基板３には、底面にトランス用プリント基板４ａが取付け固定された横向きの小型トランス４と通話用スピーカ５と通話用マイク６とが取付けられ、また、この他に、ＬＥＤからなる表示灯として、非常釦用表示灯７、非常用表示灯８、ガス用表示灯９、通電用表示灯１０、通話表示灯１１などが取付けられ、スイッチとしては、非常用スイッチ１２、警報停止用スイッチ１３、通話スイッチ１４、ガス未接続検知スイッチ１５、ドアホン呼出音量切替えスイッチ１６などが取付けられている。そして、ガス未接続検知スイッチ１５の前面側にガス未接続用操作部１７が配設され、ドアホン呼出音量切替えスイッチ１６の前面側にドアホン呼出音量操作部１８が配設される。
【００１８】
ベース部１とプリント基板３との間には、ドアホンなどの結線用端子板１９が設けられ、これらは複数の端子ネジ２０で取り付けられている。ベース部１には、小型トランス４のコイル部４ｂを固定するためのコ字枠状のトランス押さえ部２１が立設されている。一方のカバー部２には、その上面に形成された凹部２ａに化粧板２３が嵌め込まれ、凹部２ａに形成された円形の凹所２ｂと化粧板２３の円形孔２３ａには、図４に示したようにコイルスプリングからなるバネ体２４を内設した非常用押釦２５が嵌め入れられ、凹所２ｂは、前記プリント基板３に取付けられる非常釦用表示灯７と非常用スイッチ１２とに対応した位置に形成されている。
【００１９】
また、カバー部２と化粧板２３には、前記プリント基板３に取付けられる警報停止用スイッチ１３に対応する箇所に貫通孔２ｃ，２３ｃが形成され、これらの貫通孔２ｃ，２３ｃには警報停止用押釦２６が嵌め入れられる。更に化粧板２３には、前記プリント基板３に取付けられる非常用表示灯８、ガス用表示灯９、通電用表示灯１０に対応する箇所にそれぞれ非常表示部２７、ガス表示部２８、通電表示部２９が設けられ、カバー部２には、これら非常表示部２７、ガス表示部２８、通電表示部２９に対応する箇所に、非常用表示灯８、ガス用表示灯９、通電用表示灯１０の透光のための孔部２ｎがそれぞれ形成されている。
【００２０】
また、カバー部２には、通話操作板３０が嵌められる凹所２ｄが形成され、この凹所２ｄには、通話操作板３０に設けられた係止爪３０ａを係入するための係止孔２ｅと、通話操作板３０に設けられた一対の取付け用突片３０ｂを嵌め入れるための一対の孔部２ｆが形成されている。通話操作板３０の下面側には、通話スイッチ１４をオン、オフするための突出部３０Ｃが下向きに突出されている。更に、カバー部２の下縁部には、ベース部１に取付け固定するための左右一対の嵌合爪２ｇ（図では一方のみ示す）が突設されている。
【００２１】
図５は、この参考例の取付構造が適用された、セキュリティーハンズフリーインターホンＳＩのシステム構成図であって、セキュリティーハンズフリーインターホンＳＩの表面部の上部側には、内部の非常釦用表示灯７の点灯光が表面部に透光される非常用押釦２５と、非常表示部２７と、ガス表示部２８と、通電表示部２９と、警報停止用押釦２６とが露出状態で配設されており、下部側には、通話操作板３０と、この通話操作板３０の一部に、通話表示灯１１の点灯光を透光する通話表示部３２が露出状態で配設され、長手方向略中央部には、複数のスピーカ用音孔３３が形成されている。
【００２２】
このようなセキュリティーハンズフリーインターホンＳＩには、玄関に配置されたドアホン３４や、天井部に配置されたガスセンサー３５、室内の適所に設置された外付非常押釦３６と増設スピーカ３７などが、それぞれ配線Ｌ１，Ｌ２，Ｌ３，Ｌ４を介して接続されており、セキュリティーハンズフリーインターホンＳＩとガスセンサー３５にはＡＣ１００Ｖの電源（図示略）が供給されている。
【００２３】
次に、図１、図２及び図３に基づいて、本参考例の取付構造について説明する。カバー部２の凹所２ｂの底壁２ｈに、前記の非常釦用表示灯７と非常用スイッチ１２とを突出する孔部２ｉ、２ｊが形成され、この凹所２ｂの底壁２ｈと前記の非常用押釦２５の上壁２５ａの内面との間に、底壁２ｈ側から非常用押釦２５の上壁２５ａ側に向けてしだいに拡径し、非常用押釦２５を外向きに付勢する逆円錐台形状のコイルスプリングからなるバネ体２４が配設されている。
【００２４】
そして、凹所２ｂの周壁２ｋに形成された係止用孔部２ｍに係入され、この係止用孔部２ｍに係止されて非常用押釦２５を抜け止めする係止突爪部２５ｂが、非常用押釦２５の周側壁２５ｃの一部に下向きに突設された突片２５ｄの端部に形成されている。前記の非常用スイッチ１２の作動部１２ａは、底壁２ｈに形成した孔部２ｊより突出させており、非常用押釦２５の周側壁２５ｃの底縁に形成された押し部２５ｅで押し操作されるようになっており、凹所２ｂの底壁２ｈは非常用押釦２５が押圧操作されたときに、その非常用押釦２５の周側壁２５ｃの底縁を当接させ、これによって非常用押釦２５の押し過ぎを規制するためのストッパーを兼ねている。尚、小型トランス４を横向きにしてから、ベース部１のコ字枠状のトランス押さえ部２１に小型トランス４のコイル部４ｂをはめ入れ次にカバー部２に突出された押え実片２Ｓを小型トランス４の底面に固定されたトランス用プリント基板４ａの切欠部４Ｃにはめ入れて固定するように構成されている。
【００２５】
次に、本参考例の非常用押釦の取付構造の取付手順について説明する。カバー部２の凹所２ｂにおける非常釦用表示灯７を挿入するための孔部２ｐの孔縁に形成された上向き鍔部２ｑを取巻くように、逆円錐台形状のバネ体２４の径小端部を位置させてからバネ体２４を配設し、次に、非常用押釦２５をこの凹所２ｂに嵌め入れる。
【００２６】
すると、非常用押釦２５の係止突爪部２５ｂが、凹所２ｂの周壁２ｋに形成された係止用孔部２ｍに入り込んで係止されるので、この非常用押釦２５が抜け止め状態で凹所２ｂに嵌め入れられる。この状態で、非常用押釦２５を外部から押すと、この非常用押釦２５は、バネ体２４の付勢力に抗して凹所２ｂ内に埋入され、非常用スイッチ１２の作動部１２ａを押圧するので、この非常用スイッチ１２がオンとなる。
【００２７】
この非常用スイッチ１２がオンされると、非常釦用表示灯７が点灯されると同時に、信号処理部（図示略）を介して増設スピーカ３７（図４参照）などからアラームが鳴動される。
【００２８】
図６は、本発明の実施例の非常用押釦の取付構造を示すものであって、その基本構造については、上記参考例と同じであるため省略し、ここでは、本発明の特徴点のみを説明する。本発明の電子機器における非常用押釦の取付構造は、バネ体２４が竹の子バネ状となっており、凹所２ｂの底壁２ｈ側から非常用押釦２５の上壁２５ａ側に向けて次第に拡径し、内面が光反射面２４ａとされた板状コイルバネ２４Ａで構成されている。ここに、光反射面２４ａは鏡面を形成したり金属光沢面を研磨して形成してもよい。
【００２９】
この実施例の非常用押釦の取付構造によれば、非常釦用表示灯７からの光が、この板状コイルバネ２４Ａの内面の光反射面２４ａで反射されるので、非常用表示灯８からの光が効率良く活用され、非常用押釦２５が外部から見やすなるという効果がある。
【００３０】
また、本実施例においても、その符号を省略しているが、図１で示した上記参考例と同様、凹所２ｂの底壁２ｈは非常用押釦２５が押圧操作されたときに、その非常用押釦２５の周側壁２５ｃの底縁を当接させ、これによって非常用押釦２５の押し過ぎを規制するためのストッパーを兼ねさせることも可能である。
【発明の効果】
【００３１】
以上説明したように、請求項１の電子機器における非常用押釦の取付構造によれば、非常用押釦をカバー部の表側から組み付けることができるので非常用押釦の組み付けが簡単である。また、非常用スイッチを非常用押釦の近傍箇所に配設することができるので小スペース化を図ることができ、小型化することができる。
【００３２】
更に、バネ体が凹所底壁側から非常用押釦上壁側に向けて次第に拡径し、内面が光反射面とされた板状コイルバネで構成されているので、非常釦用表示灯からの光が、この板状コイルバネの内面の光反射面で反射されるので、非常用表示灯からの光が効率良く活用され、非常用押釦が外部より見やすくなる。
【００３３】
請求項２の電子機器における非常用押釦の取付構造によれば、凹所の底壁が非常用押釦の押し過ぎを規制するためのストッパーを兼ねているので、非常用押釦が必要以上に押し込まれることがなくて非常用スイッチの作動部が必要以上に押されることがなく、非常用スイッチの破損等を未然に防止することができる。
【図面の簡単な説明】
【図１】非常用押釦の取付構造の前提を示す参考例の要部縦断面構造図である。
【図２】カバー部の凹所を横断した非常用押釦の取付構造の参考例を示す平面部である。
【図３】非常用押釦の取付構造を適用したセキュリティーハンズフリーインターホンの参考例の分解斜視図である。
【図４】セキュリティーハンズフリーインターホンの参考例の縦断面図である。
【図５】セキュリティーハンズフリーインターホンの参考例のシステム構成図である。
【図６】本発明に係る非常用押釦の取付構造の実施例を示す要部縦断面構造図である。
【図７】従来の非常用押釦の取付構造を示す部分縦断面図である。
【符号の説明】
１ ベース部
２ カバー部
２ｂ 凹所
２ｈ 底壁
２ｉ 孔部
２ｊ 孔部
２ｋ 周壁
２ｍ 係止用孔部
７ 非常釦用表示灯
１２ 非常用スイッチ
１２ａ 作動部
２４ バネ体
２４Ａ 板状コイルバネ
２４ａ 光反射面
２５ 非常用釦
２５ｂ 係止突爪部
２５ｃ 周側壁
【図１】
0003644454.tif 000002
【図２】
0003644454.tif 000003
【図３】
0003644454.tif 000004
【図４】
0003644454.tif 000005
【図５】
0003644454.tif 000006
【図６】
0003644454.tif 000007
【図７】
0003644454.tif 000008